【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】
情報処理装置と、
前記情報処理装置の画像をスクリーンに投射して表示するプロジェクタと、
前記情報処理装置と前記プロジェクタを接続する接続手段とを備えたプロジェクタシステムにおいて、
前記接続手段は、前記情報処理装置からの電源ラインを含むシリアルバスケーブルからなり、
前記プロジェクタは、内蔵電池と、該内蔵電池と前記シリアルバスケーブルの電源ラインとに接続され、前記プロジェクタに内蔵された少なくとも光源に駆動電力を供給する光源電源生成部とを備えたことを特徴とするプロジェクタシステム。
【請求項２】
情報処理装置からの電源ラインを含むシリアルバスケーブルを介して該情報処理装置と接続され、該情報処理装置の画像をスクリーンに投射して表示するプロジェクタであって、
内蔵電池と、該内蔵電池と前記シリアルバスケーブルの電源ラインとが接続された光源電源生成部とを備え、該光源電源生成部は少なくとも前記プロジェクタの光源に駆動電力を供給することを特徴とするプロジェクタ。
【請求項３】
前記光源電源生成部は、前記プロジェクタに内蔵された光源、表示制御装置及びフレームメモリにそれぞれ駆動電力を供給することを特徴とする請求項２記載のプロジェクタ。
【請求項４】
前記光源電源生成部は、内蔵電池の残量に応じて、入力電力を、該内蔵電池の出力から前記シリアルバスケーブルの電源ラインに切り換えて駆動電力を出力することを特徴とする請求項２又は３記載のプロジェクタ。
【請求項５】
前記光源電源生成部は、定常的には、前記内蔵電池の出力を入力電力とし、前記内蔵電池の残量が第１の所定量以下になると、前記シリアルバスケーブルの電源ラインからの入力を入力電力とする請求項２〜４の何れかに記載のプロジェクタ。
【請求項６】
内蔵電池の残量を検出する検出手段を備え、内蔵電池の残量を前記情報処理装置に送信し、前記光源電源生成部は、前記プロジェクタの内蔵電池の残量が第１の所定量以下のときには前記前記情報処理装置から送信されてくる電源切替命令に基づいて、入力電力を、前記内蔵電池の出力から前記シリアルバスケーブルの電源ラインに切り換えることを特徴とする請求項５記載のプロジェクタ。
【請求項７】
前記光源電源生成部と光源との間に光源制御部を備え、該光源制御部は、前記プロジェクタの内蔵電池の残量が第１の所定量以下のときに前記前記情報処理装置から送信されてくる輝度制御命令に基づいて、光源の輝度を制御することを特徴とする請求項５又は６記載のプロジェクタ。
【請求項８】
前記光源を冷却するための冷却装置を備え、前記光源制御部は、前記シリアルバスケーブルが引き抜かれた際には、前記内蔵電池の出力を、前記光源電源生成部を介して入力し、前記冷却装置に対して駆動電力を、前記シリアルバスケーブルが引き抜かれた後も所定時間を継続して供給することを特徴とする請求項２〜７の何れかに記載のプロジェクタ。
【請求項９】
情報処理装置からの電源ラインを含むシリアルバスケーブルを介して画像をスクリーンに投射して表示するプロジェクタと接続される該情報処理装置であって、前記プロジェクタの内蔵電池の残量が第１の所定量以下のときには、前記プロジェクタに内蔵された少なくとも光源に対して、該プロジェクタの内蔵電池の出力から前記シリアルバスケーブルの電源ラインに切り換えて駆動電力を供給させるための電源切替命令を前記プロジェクタに送信することを特徴とする情報処理装置。
【請求項１０】
前記電源切替命令とともに、前記プロジェクタの光源の輝度を制御するための輝度制御命令を、前記プロジェクタに送信することを特徴とする請求項９記載の情報処理装置。
【請求項１１】
情報処理装置の内蔵電池の残量が第２の所定量以下で、且つ、プロジェクタの内蔵電池が第３の所定の残量（第３の所定の残量＞第１の所定の残量）であるとき、電池残量が少ないことを示す警告を発生することを特徴とする請求項９又は１０記載の情報処理装置。
【請求項１２】
前記警告に基づいて前記画像データを加工して前記プロジェクタに送信することを特徴とする請求項１１記載の情報処理装置。
【請求項１３】
前記プロジェクタの光源のオン・オフを制御するための制御命令を前記プロジェクタに送信し、前記プロジェクタの少なくとも光源の駆動電力の供給及び停止を制御させることを特徴とする請求項９〜１２の何れかに記載の情報処理装置。
【請求項１４】
前記プロジェクタの内蔵電池の残量及び情報処理装置の内蔵電池の残量に基づいて前記プロジェクタの動作時間を予測して表示することを特徴とする請求項９〜１３の何れかに記載の情報処理装置。
【手続補正２】
【補正対象書類名】明細書
【補正対象項目名】０００５
【補正方法】変更
【補正の内容】
【０００５】
【課題を解決するための手段】
本発明の一つの態様に係るプロジェクタシステムは、情報処理装置と、前記情報処理装置の画像をスクリーンに投射して表示するプロジェクタと、前記情報処理装置と前記プロジェクタを接続する接続手段とを備えたプロジェクタシステムにおいて、前記接続手段は、前記情報処理装置からの電源ラインを含むシリアルバスケーブルからなり、前記プロジェクタは、内蔵電池と、該内蔵電池と前記シリアルバスケーブルの電源ラインとに接続され、前記プロジェクタに内蔵された少なくとも光源に駆動電力を供給する光源電源生成部とを備えたものである。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】変更
【補正の内容】
【００１９】
本発明の他の態様に係るプロジェクタは、情報処理装置からの電源ラインを含むシリアルバスケーブルを介して該情報処理装置と接続され、該情報処理装置の画像をスクリーンに投射して表示するプロジェクタであって、内蔵電池と、該内蔵電池と前記シリアルバスケーブルの電源ラインとが接続された光源電源生成部とを備え、該光源電源生成部は少なくとも前記プロジェクタの光源に駆動電力を供給する。
【手続補正１７】
【補正対象書類名】明細書
【補正対象項目名】００２０
【補正方法】変更
【補正の内容】
【００２０】
本発明の他の態様に係るプロジェクタにおいて、前記光源電源生成部は、前記プロジェクタに内蔵された光源、表示制御装置及びフレームメモリにそれぞれ駆動電力を供給する。
【手続補正１８】
【補正対象書類名】明細書
【補正対象項目名】００２１
【補正方法】変更
【補正の内容】
【００２１】
本発明の他の態様に係るプロジェクタにおいて、前記光源電源生成部は、内蔵電池の残量に応じて、入力電力を、該内蔵電池の出力から前記シリアルバスケーブルの電源ラインに切り換えて駆動電力を出力する。
【手続補正１９】
【補正対象書類名】明細書
【補正対象項目名】００２２
【補正方法】変更
【補正の内容】
【００２２】
本発明の他の態様に係るプロジェクタにおいて、前記光源電源生成部は、定常的には、前記内蔵電池の出力を入力電力とし、前記内蔵電池の残量が第１の所定量以下になると、前記シリアルバスケーブルの電源ラインからの入力を入力電力とする。
【手続補正２０】
【補正対象書類名】明細書
【補正対象項目名】００２３
【補正方法】変更
【補正の内容】
【００２３】
本発明の他の態様に係るプロジェクタにおいて、前記光源電源生成部は、内蔵電池の残量を検出する検出手段を備え、内蔵電池の残量を前記情報処理装置に送信し、前記光源電源生成部は、前記プロジェクタの内蔵電池の残量が第１の所定量以下のときには前記前記情報処理装置から送信されてくる電源切替命令に基づいて、入力電力を、前記内蔵電池の出力から前記シリアルバスケーブルの電源ラインに切り換える。
【手続補正２１】
【補正対象書類名】明細書
【補正対象項目名】００２４
【補正方法】変更
【補正の内容】
【００２４】
本発明の他の態様に係るプロジェクタは、前記光源電源生成部と光源との間に光源制御部を備え、該光源制御部は、前記プロジェクタの内蔵電池の残量が第１の所定量以下のときに前記前記情報処理装置から送信されてくる輝度制御命令に基づいて、光源の輝度を制御する。
【手続補正２２】
【補正対象書類名】明細書
【補正対象項目名】００２５
【補正方法】変更
【補正の内容】
【００２５】
本発明の他の態様に係るプロジェクタにおいて、前記光源を冷却するための冷却装置を備え、前記光源制御部は、前記シリアルバスケーブルが引き抜かれた際には、前記内蔵電池の出力を、前記光源電源生成部を介して入力し、前記冷却装置に対して駆動電力を、前記シリアルバスケーブルが引き抜かれた後も所定時間を継続して供給する。
【手続補正２３】
【補正対象書類名】明細書
【補正対象項目名】００２６
【補正方法】変更
【補正の内容】
【００２６】
本発明の他の態様に係る情報処理装置は、情報処理装置からの電源ラインを含むシリアルバスケーブルを介して画像をスクリーンに投射して表示するプロジェクタと接続される該情報処理装置であって、前記プロジェクタの内蔵電池の残量が第１の所定量以下のときには、前記プロジェクタに内蔵された少なくとも光源に対して、該プロジェクタの内蔵電池の出力から前記シリアルバスケーブルの電源ラインに切り換えて駆動電力を供給させるための電源切替命令を前記プロジェクタに送信する。
【手続補正２４】
【補正対象書類名】明細書
【補正対象項目名】００２７
【補正方法】変更
【補正の内容】
【００２７】
本発明の他の態様に係る情報処理装置は、前記電源切替命令とともに、前記プロジェクタの光源の輝度を制御するための輝度制御命令を、前記プロジェクタに送信する。
【手続補正２５】
【補正対象書類名】明細書
【補正対象項目名】００２８
【補正方法】変更
【補正の内容】
【００２８】
本発明の他の態様に係る情報処理装置は、情報処理装置の内蔵電池の残量が第２の所定量以下で、且つ、プロジェクタの内蔵電池が第３の所定の残量（第３の所定の残量＞第１の所定の残量）であるとき、電池残量が少ないことを示す警告を発生する。
【手続補正２６】
【補正対象書類名】明細書
【補正対象項目名】００２９
【補正方法】変更
【補正の内容】
【００２９】
本発明の他の態様に係る情報処理装置において、前記警告に基づいて前記画像データを加工して前記プロジェクタに送信する。
【手続補正２７】
【補正対象書類名】明細書
【補正対象項目名】００３０
【補正方法】変更
【補正の内容】
【００３０】
本発明の他の態様に係る情報処理装置において、 前記プロジェクタの光源のオン・オフを制御するための制御命令を前記プロジェクタに送信し、前記プロジェクタの少なくとも光源の駆動電力の供給及び停止を制御する。
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】変更
【補正の内容】
【００３２】
本発明の他の態様に係る情報処理装置において、プロジェクタの内蔵電池の残量及び前記情報処理装置の内蔵電池の残量に基づいてプロジェクタの動作時間を予測して表示する。